(57)【要約】【課題】従来の写真印画紙用アルバムのような操作感をもちつつ、写真印画紙用アルバムでは得られない大量の画像の閲覧や検索性に優れた電子アルバムを提供する。【解決手段】この電子アルバム１０は、複数枚の電子ペーパー３０が冊子状に束ねられて構成され、表紙２０によってカバーされている。電子ペーパー３０の最初のページには、インデックス画像が表示され、他のページにはインデックス画像に対応する画像が表示される。表表紙２２及び裏表紙２４のそれぞれ内側の面には、電子ペーパー３０に表示されるインデックス画像等を更新するための送りボタン４０、４２が設けられている。この電子アルバム１０は、従来の写真印画紙用アルバムのように実際にページをめくり、それぞれのページの画像を見開きで見ることができ、また、インデックス画像を見ながら表示させる画像の選択ができ、インデックス画像の利用による画像の検索性に優れている。【選択図】  図１
2007333797.tif 000002
【特許請求の範囲】
【請求項１】
バッテリーを含む電源部と、
画像を記憶する内蔵された、又は着脱自在な画像メモリと、
表表紙部、裏表紙部及び背表紙部とからなる表紙と、
前記表表紙部と裏表紙部との間に挟まれるとともに、前記背表紙部で冊子状に束ねられた複数枚の電子表示シートであって、表面及び裏面の両面でそれぞれ表示する複数枚の電子表示シートと、
少なくとも前記電子表示シートに表示させる画像を指示する操作部であって、前記表紙の内側の面に配設された操作部と、
前記操作部からの指示にしたがって前記画像メモリから画像を読み出し、その読み出した画像を前記電子表示シートに表示させる表示制御手段と、を備え、
前記表示制御手段は、前記複数枚の電子表示シートの最初のページにインデックスを表示させ、他のページに前記インデックスに対応する画像を表示させることを特徴とする電子アルバム。
【請求項２】
前記操作部は、前記表表紙部及び裏表紙部の両方に配設されていることを特徴とする請求項１に記載の電子アルバム。
【請求項３】
前記表示制御手段は、前記表表紙部に配設された操作部が操作されると、前記複数枚の電子表示シートの最初のページにインデックスを表示させ、他のページに前記インデックスに対応する画像を表示させ、前記裏表紙部に配設された操作部が操作されると、前記複数枚の電子表示シートの最後のページにインデックスを表示させ、他のページに前記インデックスに対応する画像を表示させることを特徴とする請求項２に記載の電子アルバム。
【請求項４】
前記表示制御手段は、前記操作部が操作されると、前記電子表示シートに表示されたインデックスを更新するとともに、前記電子表示シートに表示された全画像を前記更新されたインデックスに対応する画像に更新することを特徴とする請求項１乃至３のいずれかに記載の電子アルバム。
【請求項５】
前記表紙の開閉を検出する検出手段を備え、該検出手段は、前記表紙の開閉に連動して前記電源部の電源をＯＮ／ＯＦＦすることを特徴とする請求項１乃至４のいずれかに記載の電子アルバム。
【請求項６】
外部から前記画像メモリへの画像の書き込み、及び該画像メモリから外部への画像の読み出しを行うための通信インターフェースを有することを特徴とする請求項１乃至５のいずれかに記載の電子アルバム。
【請求項７】
前記操作部は複数の表示モードから何れかの表示モードを選択するモード選択スイッチを有し、
前記表示制御手段は、前記複数枚の電子表示シートのうちの前記インデックスが表示されるページ以外の各ページにおいて、各ページに同じ表示サイズの複数枚の画像を表示させる第１の表示モードと、各ページに１枚の拡大画像と該ページに拡大表示させることが可能な複数枚の縮小画像とを表示させる第２の表示モードと、見開きの２ページにわたって１枚の拡大画像と該見開きの２ページに拡大表示させることが可能な複数枚の縮小画像とを表示させる第３の表示モードと、各ページに１枚のトリミングされた画像と該ページにトリミング表示させることが可能な複数枚の縮小画像とを表示させる第４の表示モードのうちの少なくとも２以上の表示モードのうち、前記モード選択スイッチによって選択された表示モードにしたがって画像を表示させることを特徴とする請求項１乃至６のいずれかに記載の電子アルバム。
【請求項８】
前記複数枚の電子表示シートのうちの前記インデックスが表示されるページ以外の各ページには、前記複数枚の縮小画像のうちのいずれかの縮小画像を拡大表示させ、又はトリミング表示させるために指示するタッチセンサを有することを特徴とする請求項７に記載の電子アルバム。
【請求項９】
前記表紙の内側の面に配設された情報表示手段であって、前記バッテリーの残量、前記画像メモリの残容量、及び前記画像メモリに記録されている画像の枚数のうちの２以上の情報を表示する情報表示手段を更に備えたことを特徴とする請求項１乃至８のいずれかに記載の電子アルバム。
【請求項１０】
前記インデックスは、複数枚の縮小画像からなるインデックス画像であることを特徴とする請求項１乃至９のいずれかに記載の電子アルバム。
【請求項１１】
前記複数枚の電子表示シートは、電子ペーパー、エレクトロ・ルミネッセンス表示手段
及び液晶表示手段のうちのいずれかであることを特徴とする請求項１乃至１０のいずれかに記載の電子アルバム。
【発明の詳細な説明】
【技術分野】
【０００１】
本発明は電子アルバムに係り、特に写真プリントが収納されたアルバムのように画像を閲覧することができる電子アルバムに関する。
【背景技術】
【０００２】
特許文献１には、電子ペーパーの具体的な応用例として、複数枚の電子ペーパーを束ねて冊子状にし、本のように電子ペーパーをめくることができる電子書籍や雑誌に関する記載がある（引用文献１の段落［００９３］及び図５参照）。
【０００３】
また、この特許文献１には、最終ページまでめくり終えると、ページを最初に戻す動作により背表紙内のセンサがその動作を感知して、続きのページを自動的に更新、表示したり、裏表紙面などにタッチキーを設けて、受信や表示の制御に加え、キー入力により表示の切り替え等の制御を行う記載がある。
【特許文献１】特開２００３−１１９１６１号公報
【発明の開示】
【発明が解決しようとする課題】
【０００４】
特許文献１に記載された複数枚の電子ペーパーを束ねて冊子状にした表示装置は、電子書籍や雑誌として使用されるものであり、アルバム（電子アルバム）として使用されるものではない。
【０００５】
即ち、従来の写真印画紙用アルバムのように、冊子状に構成され、実際にページをめくり、それぞれのページの画像を同時に見ることができるという操作感をもった電子アルバムは存在しなかった。
【０００６】
また、従来の写真印画紙用アルバムは、保管できる写真プリントの枚数に限りがあり、更に写真プリントの検索性も良好とは言えない。
【０００７】
本発明はこのような事情に鑑みてなされたもので、従来の写真印画紙用アルバムのような操作感をもちつつ、写真印画紙用アルバムでは得られない大量の画像の閲覧や検索性に優れた電子アルバムを提供することを目的とする。
【課題を解決するための手段】
【０００８】
前記目的を達成するために請求項１に係る電子アルバムは、バッテリーを含む電源部と、画像を記憶する内蔵された、又は着脱自在な画像メモリと、表表紙部、裏表紙部及び背表紙部とからなる表紙と、前記表表紙部と裏表紙部との間に挟まれるとともに、前記背表紙部で冊子状に束ねられた複数枚の電子表示シートであって、表面及び裏面の両面でそれぞれ表示する複数枚の電子表示シートと、少なくとも前記電子表示シートに表示させる画像を指示する操作部であって、前記表紙の内側の面に配設された操作部と、前記操作部からの指示にしたがって前記画像メモリから画像を読み出し、その読み出した画像を前記電子表示シートに表示させる表示制御手段と、を備え、前記表示制御手段は、前記複数枚の電子表示シートの最初のページにインデックスを表示させ、他のページに前記インデックスに対応する画像を表示させることを特徴としている。
【０００９】
即ち、複数枚の電子表示シートが束ねられて冊子状に構成された電子アルバムは、従来の写真印画紙用アルバムに実際にページをめくり、それぞれのページの画像を見開きで見ることができるという、従来の写真印画紙用アルバムのような操作感が得られる。また、電子表示シートに表示させる画像を指示する操作部は、インデックスが表示される最初のページに対向する、表紙の内側の面に配設されているため、インデックスを見ながら表示させる画像の選択ができ、インデックスの利用による画像の検索性に優れている。
【００１０】
請求項２に示すように請求項１に記載の電子アルバムにおいて、前記操作部は、前記表表紙部及び裏表紙部の両方に配設されていることを特徴としている。裏表紙部の内側の面にも操作部を設けるようにしたため、最後のページまでめくり終えた場合に、ページを最初に戻す前に画像を更新させる操作が可能になる。
【００１１】
請求項３に示すように請求項２に記載の電子アルバムにおいて、前記表示制御手段は、前記表表紙部に配設された操作部が操作されると、前記複数枚の電子表示シートの最初のページにインデックスを表示させ、他のページに前記インデックスに対応する画像を表示させ、前記裏表紙部に配設された操作部が操作されると、前記複数枚の電子表示シートの最後のページにインデックスを表示させ、他のページに前記インデックスに対応する画像を表示させることを特徴としている。
【００１２】
この構成によれば、最後のページまでめくり終えた段階で、裏表紙部に配設された操作部を操作することにより、ページを逆めくりすることで後続の画像を引き続き見ることができる。
【００１３】
請求項４に示すように請求項１乃至３のいずれかに記載の電子アルバムにおいて、前記表示制御手段は、前記操作部が操作されると、前記電子表示シートに表示されたインデックスを更新するとともに、前記電子表示シートに表示された全画像を前記更新されたインデックスに対応する画像に更新することを特徴としている。尚、前記操作部の操作によって前記インデックスのページを切り替えてインデックスを更新するようにしてもよいし、インデックスを適宜スクロールさせてインデックスを更新するようにしてもよい。
【００１４】
請求項５に示すように請求項１乃至４のいずれかに記載の電子アルバムにおいて、前記表紙の開閉を検出する検出手段を備え、該検出手段は、前記表紙の開閉に連動して前記電源部の電源をＯＮ／ＯＦＦすることを特徴としている。これにより、操作部のボタン（電源ボタン）を省略することができる。
【００１５】
請求項６に示すように請求項１乃至５のいずれかに記載の電子アルバムにおいて、外部から前記画像メモリへの画像の書き込み、及び該画像メモリから外部への画像の読み出しを行うための通信インターフェースを有することを特徴としている。
【００１６】
請求項７に示すように請求項１乃至６のいずれかに記載の電子アルバムにおいて、前記操作部は複数の表示モードから何れかの表示モードを選択するモード選択スイッチを有し、前記表示制御手段は、前記複数枚の電子表示シートのうちの前記インデックスが表示されるページ以外の各ページにおいて、各ページに同じ表示サイズの複数枚の画像を表示させる第１の表示モードと、各ページに１枚の拡大画像と該ページに拡大表示させることが可能な複数枚の縮小画像とを表示させる第２の表示モードと、見開きの２ページにわたって１枚の拡大画像と該見開きの２ページに拡大表示させることが可能な複数枚の縮小画像とを表示させる第３の表示モードと、各ページに１枚のトリミングされた画像と該ページにトリミング表示させることが可能な複数枚の縮小画像とを表示させる第４の表示モードのうちの少なくとも２以上の表示モードのうち、前記モード選択スイッチによって選択された表示モードにしたがって画像を表示させることを特徴としている。
【００１７】
この構成によれば、表示モードを適宜選択することにより、同一の画像を表示サイズを変えて見たり、トリミングして見ることができる。
【００１８】
請求項８に示すように請求項７に記載の電子アルバムにおいて、前記複数枚の電子表示シートのうちの前記インデックスが表示されるページ以外の各ページには、前記複数枚の縮小画像のうちのいずれかの縮小画像を拡大表示させ、又はトリミング表示させるために指示するタッチセンサを有することを特徴としている。これによれば、表紙の内側の面に配設された操作部を操作する必要がなく、操作がしやすい。
【００１９】
請求項９に示すように請求項１乃至８のいずれかに記載の電子アルバムにおいて、前記表紙の内側の面に配設された情報表示手段であって、前記バッテリーの残量、前記画像メモリの残容量、及び前記画像メモリに記録されている画像の枚数のうちの２以上の情報を表示する情報表示手段を更に備えたことを特徴としている。
【００２０】
請求項１０に示すように請求項１乃至９のいずれかに記載の電子アルバムにおいて、前記インデックスは、複数枚の縮小画像からなるインデックス画像であることを特徴としている。インデックス画像は、画像のタイトル、コマ番号、ファイル名、撮影年月日等の文字によるインデックスよりも画像の検索がしやすい。
【００２１】
請求項１１に示すように請求項１乃至１０のいずれかに記載の電子アルバムにおいて、前記複数枚の電子表示シートは、電子ペーパー、エレクトロ・ルミネッセンス表示手段
及び液晶表示手段のうちのいずれかであることを特徴としている。
【発明の効果】
【００２２】
本発明によれば、複数枚の電子表示シートを束ねて冊子状に電子アルバムを構成したため、実際にページをめくり、それぞれのページの画像を見開きで見ることができるという従来の写真印画紙用アルバムのような操作感が得られる。また、最初のページにインデックスを表示するようにし、このインデックスが表示される最初のページに対向する、表紙の内側の面に配設されているため、インデックスを見ながら表示させる画像の選択ができ、インデックスの利用による画像の検索性に優れているという効果がある。
【発明を実施するための最良の形態】
【００２３】
以下、添付図面に従って本発明に係る電子アルバムの好ましい実施の形態について説明する。
【００２４】
［電子アルバムの外観］
図１は本発明に係る電子アルバムの外観を示す斜視図であり、電子アルバムを開いている場合に関して示している。
【００２５】
図１に示すように、この電子アルバム１０は、主として表紙２０と、この表紙２０によってカバーされた複数枚（この実施の形態では１０枚）の電子ペーパー３０とから構成されている。
【００２６】
表紙２０は、表表紙２２、裏表紙２４及び背表紙２６とからなり、電子ペーパー３０は、これらの表表紙２２と裏表紙２４との間に挟まれるとともに、背表紙２６で冊子状に束ねられ、図示しないフレキシブル配線基板等によって表紙２０と電気的に接続されている。
【００２７】
また、表表紙２２及び裏表紙２４の内側の面には、それぞれ電子ペーパー３０に表示させる画像の切り替え等を指示する送りボタン４０、４２が配設されている。
【００２８】
図２乃至図４はそれぞれ上記電子アルバム１０を開いた状態の平面図を示している。
【００２９】
図２は表表紙２２の内側の面と電子ペーパー３０の最初のページ（インデックスページ）とを示しており、前述したように表表紙２２の内側の面には、送りボタン４０が配設されている。また、表表紙２２の内部には、シート状の充電可能なバッテリー４４、フラッシュＲＯＭ等の不揮発性メモリ（画像メモリ）４６、及び電子ペーパー３０への画像表示等を制御するための制御部（図示せず）が配設されている。
【００３０】
また、電子ペーパー３０のインデックスページ３２には、複数枚（この実施の形態では、４８（＝４×１２）枚）の縮小画像からなるインデックス画像が表示される。
【００３１】
図３は電子ペーパー３０の２ページ以降のページ（左右の見開きのコマ表示ページ）を示している。電子ペーパー３０の見開きのコマ画像ページ３４には、この実施の形態では、１ページに３コマの画像が表示されるようになっており、２ページからなる左右の見開きのコマ画像ページ３４には、６コマの画像が表示される。
【００３２】
図４は電子ペーパー３０の最後のページと裏表紙２４の内側の面とを示しており、前述したように裏表紙２４の内側の面には、送りボタン４２が配設されている。
【００３３】
尚、バッテリー４４、画像メモリ４６等は、表表紙２２に内蔵するようにしたが、これに限らず、裏表紙２４に内蔵するようにしてもよいし、両者に適宜分散して内蔵するようにしてもよい。更に、背表紙２６にも内蔵するようにしてもよい。
【００３４】
［電子アルバムの回路構成］
図５は上記電子アルバム１０の回路構成を示すブロック図である。
【００３５】
図５に示すように電子アルバム１０は、主として電子ペーパー３０と、各回路に電源を供給するバッテリー４４を含む電源部４１と、電子ペーパー３０に表示するための画像が記憶されたフラッシュＲＯＭ、ハードディスク装置等の画像メモリ４６と、各構成要素の動作を制御する中央処理装置（ＣＰＵ）５０と、装置の制御プログラムが格納されたり、プログラム実行時の作業領域となる主メモリ５２と、表紙開閉検出スイッチ（電源スイッチ）５４と、電子ペーパー３０への画像の書き替え制御等を行う表示制御部５６と、送りボタン４０、４２を含む操作部５８と、ＩｒＤＡ、ＵＳＢ等の通信インターフェース６０とから構成されている。
【００３６】
画像メモリ４６は、電子アルバム１０内に内蔵された内蔵メモリでもよいし、表紙２０にカードスロットを形成し、該カードスロットに着脱できるメモリカード等の外部メモリでもよい。
【００３７】
パソコン等の外部機器から通信インターフェース６０を介して画像メモリ４６に画像を書き込むことができるとともに、画像メモリ４６からインターフェース６０を介して画像の読み出しを行うことができる。
【００３８】
尚、ＣＰＵ５０や表示制御部５６による電子ペーパー３０における画像の表示制御については、後述する。
【００３９】
［電子アルバムの動作］
次に、上記構成の電子アルバム１０の動作について説明する。
【００４０】
＜第１の実施の形態＞
電子アルバム１０の表紙２０を開くと、表紙開閉検出スイッチ５４がこれを検出し、電子アルバム１０の電源をＯＮにする。一方、電子アルバム１０の表紙２０を閉じると、表紙開閉検出スイッチ５４がこれを検出し、電子アルバム１０の電源をＯＦＦにする。
【００４１】
電子ペーパー３０は、電源がＯＦＦされても最後に表示された画像を保持することができるため、電子アルバム１０を開き、電子ペーパー３０を順方向にめくり（順めくり）、あるいは逆方向にめくる（逆めくりする）ことにより、前回表示されていた画像を見ることができる。
【００４２】
また、図２に示すように表表紙２２を開き、表表紙２２と隣り合うインデックスページ３２に表示されているインデックス画像を見ることにより、所望の画像がコマ画像ページ３４に表示されているか否か、また、何ページ目のコマ画像ページ３４に表示されているかを大体把握することができる。
【００４３】
インデックスページ３２に表示されているインデックス画像に所望の画像がない場合には、送りボタン４０を操作し、インデックスページ３２に表示するインデックス画像を更新させる。
【００４４】
即ち、送りボタン４０は、中立状態から左右方向に操作できるシーソースイッチであり、例えば、送りボタン４０を右方向にワンプッシュすると、ＣＰＵ５０はこれを検知し、現在のインデックスページ３２に表示されているインデックス画像を次のインデックス画像に更新させるとともに、各コマ画像ページ３４に表示されているコマ画像を、前記更新されたインデックス画像に対応するコマ画像に書き替える。
【００４５】
例えば、現在のインデックスページ３２に表示されているインデックス画像のファイル名が、ABCD0001.JPG〜ABCD0048.JPGの場合、ＣＰＵ５０は、画像メモリ４６から次の４８コマ分の画像ファイル(ABCD0049.JPG〜ABCD0096.JPG)からサムネイル画像及び本画像を読み出し（サムネイル画像がない場合には、本画像からサムネイル画像を作成し）、これらのサムネイル画像によってインデックスページ３２に表示されているインデックス画像を書き替えるとともに、電子ペーパー３０の２ページ以降の各コマ画像ページ３４に表示されているコマ画像を、前記書き替えられたインデックス画像に対応するコマ画像（本画像）に書き替える。
【００４６】
一方、送りボタン４０を左方向にワンプッシュすると、ＣＰＵ５０はこれを検知し、現在のインデックスページ３２に表示されているインデックス画像を前のインデックス画像に更新させるとともに、各コマ画像ページ３４に表示されているコマ画像を更新されたインデックス画像に対応するコマ画像に書き替える。
【００４７】
尚、この実施の形態では、送りボタン４０をワンプッシュする毎にインデックス画像をページ単位で更新するようにしたが、これに限らず、送りボタン４０を押し続けている間、インデックス画像をスクロールさせるようにしてもよい。
【００４８】
このように送りボタン４０を操作し、インデックスページ３２に表示されるインデックス画像を更新することによって所望の画像を検索することができる。尚、この実施の形態では、インデックスページ３２にインデックス画像を表示するようにしたが、これに限らず、画像のタイトル、コマ番号、ファイル名、撮影年月日等のインデックス文字を表示するようにしてもよいし、インデックス画像とともにインデックス文字を表示するようにしてもよい。
【００４９】
図４に示すように、最後のコマ画像ページまでページをめくると、裏表紙２４の内側の面に設けられた送りボタン４２の操作が可能になる。この送りボタン４２は、表表紙２２の内側の面に設けられた送りボタン４０と同じ機能を有しており、送りボタン４２を操作することによりインデックスページ３２に表示させるインデックス画像や、コマ画像ページ３４に表示させるコマ画像を更新させることができる。
【００５０】
このように裏表紙２４にも送りボタン４２を設けることにより、最初のページまで逆めくりしてから送りボタン４０を操作する必要がなく、逆めくりする前に送りボタン４２を操作することができる。
【００５１】
＜第２の実施の形態＞
図４に示すように、第１の実施の形態では、電子ペーパー３０の最後のページは、コマ画像ページとしたが、第２の実施の形態では、図６に示すように電子ペーパー３０の最後のページもインデックスページ３２にする。
【００５２】
そして、表表紙２２に設けられた送りボタン４０、及び裏表紙に設けられた送りボタン４２のいずれを操作しても、最初のページ及び最後のページのインデックスページ３２のインデックス画像を同時に更新させることができるようになっている。
【００５３】
但し、最初のページと最後のページを除くコマ画像ページ３４に表示されるコマ画像の表示順は、送りボタン４０を操作したときと、送りボタン４２を操作したときでは、逆になっている。即ち、送りボタン４２を操作したときには、コマ画像ページ３４に表示されるコマ画像の表示順は、ページを逆めくりしたときに、コマ画像が順方向に並ぶ（コマ番号が降順となる）ようにする。
【００５４】
これによれば、最後のページまでめくり終えた段階で、裏表紙２４に配設された送りボタン４２を操作することにより、ページを逆めくりすることで後続の画像を引き続き見ることができ、また、最初のページまで逆めくり終えた段階で、表表紙２２に配設された送りボタン４０を操作することにより、ページを順めくりすることで後続の画像を引き続き見ることができる。
【００５５】
＜第３の実施の形態＞
図３に示す実施の形態では、コマ画像ページ３４には、１ページに同じ表示サイズの３コマの画像を表示するようにしたが、第３の実施の形態では、表示モードを選択することによって、コマ画像ページ３４に拡大画像やトリミング画像の表示ができるようにしている。
【００５６】
第３の実施の形態では、図３に示すようなコマ画像を表示する表示モード（標準表示モード）の他に、拡大表示モード１、拡大表示モード２、及びトリミング表示モードを有し、これらの表示モードのうちのいずれかの表示モードを選択することによって、コマ画像ページ３４に選択された表示モードに対応する画像を表示できるようにしている。
【００５７】
表示モードの選択は、中立位置の送りボタン４０を下方向の押す毎に、上記複数の表示モードをサイクリックに切り替えるようにしてもよいし、モード選択用の専用のボタンを設けるようにしてもよい。
【００５８】
図７は拡大表示モード１が選択された場合の画像の表示例を示している。
【００５９】
拡大表示モード１が選択されると、図７に示すように１ページに複数コマ（この実施の形態では３コマ）の縮小画像Ａと、１コマの拡大画像Ｂとが表示される。
【００６０】
拡大画像Ｂは、縮小画像Ａから選択された何れかの画像を拡大した画像である。３コマの縮小画像Ａのうちの何れの縮小画像を拡大表示させるかを指示する指示手段として、電子ペーパーの各縮小画像に対応する位置にタッチセンサを設ける。これにより、所望の縮小画像にタッチすることにより拡大表示する縮小画像を選択することができる。尚、電子ペーパー上にタッチセンサを設ける代わりに、表紙２０の内側に縮小画像の選択を指示するためのボタンを設けるようにしてもよい。また、図７上で、拡大画像Ｂは縦長に表示されるため、横位置で撮影された画像の拡大画像を見る場合には、電子アルバム１０を９０度回転させて見ることになるが、このような見かたは、従来の写真印画紙用アルバムと同じである。
【００６１】
図８は拡大表示モード２が選択された場合の画像の表示例を示している。
【００６２】
拡大表示モード２が選択されると、図８に示すように見開きの２ページに複数コマ（この実施の形態では６コマ）の縮小画像Ａと、見開きの２ページにわたって１枚の拡大画像Ｃとが表示される。
【００６３】
拡大画像Ｃは、縮小画像Ａから選択された何れかの画像を拡大した画像である。６コマの縮小画像Ａのうちの何れの縮小画像を拡大表示させるかを指示する指示手段としては、前述した拡大表示モード１と同様にタッチセンサ等を適用することができる。
【００６４】
図８に示した拡大表示モード２の拡大画像Ｃは、見開きの２ページにわたって１枚の拡大画像を表示するようにしたため、図７に示した拡大表示モード１の拡大画像Ｂの約２倍の大きさに拡大される。
【００６５】
図９はトリミング表示モードが選択された場合の画像の表示例を示している。
【００６６】
トリミング表示モードが選択されると、図９に示すように１ページに複数コマ（この実施の形態では３コマ）の縮小画像Ａと、１コマのトリミング画像Ｄと、トリミング操作用のアイコンボタンＥ、Ｆとが表示される。
【００６７】
トリミング画像Ｄは、縮小画像Ａから選択された何れかの画像を拡大した画像であって、適宜トリミングされた画像である。３コマの縮小画像Ａのうちの何れの縮小画像を拡大表示させるかを指示する指示手段としては、前述した拡大表示モード１と同様にタッチセンサ等を適用することができる。
【００６８】
また、アイコンボタンＥは、トリミング画像Ｄを上下左右方向に移動させるための十字キーを示すアイコンボタンであり、上下左右キーの位置にそれぞれタッチセンタが設けられている。アイコンボタンＦは、トリミング画像Ｄを拡大縮小するためのズームキーを示すアイコンボタンであり、テレ（Ｔ）／ワイド（Ｗ）の位置にそれぞれタッチセンサが設けられている。
【００６９】
これらのアイコンボタンＥ、Ｆを適宜操作することによって、所望のトリミング画像Ｄを表示させることができる。
【００７０】
＜第４の実施の形態＞
図１０は本発明の第４の実施の形態を示す平面図であり、図２に示した実施の形態と比較して、表表紙２２の内側の面に情報表示器７０が配設されている点で相違する。
【００７１】
この情報表示器７０は、バッテリー４４の残量、画像メモリ４６の残容量、画像メモリ４６に記録されている画像の枚数、及び表示モードを表示することができるようになっている。
【００７２】
尚、表示モードとしては、第３の実施の形態で説明したように、標準表示モード、拡大表示モード１、拡大表示モード２、及びトリミング表示モードのうちの現在選択されている表示モードが表示される。
【００７３】
また、情報表示器７０は、電子ペーパーで構成してもよいし、液晶表示器等の他の表示手段で構成してもよい。
【００７４】
＜第５の実施の形態＞
図１１は本発明の第５の実施の形態を示すインデックスページ３２の平面図である。
【００７５】
図２に示したように、インデックスページ３２には、４８コマ分のインデックス画像が表示されるが、図１１に示すように第５の実施の形態では、例えば検索モードのモード選択を行うことにより、インデックスページ３２にフォルダアイコン３３とインデックス画像とを表示できるようにしている。
【００７６】
即ち、検索モードを選択することにより、画像メモリ４６に複数の画像フォルダが格納されている場合には、図１１に示すようにインデックスページ３２の上段に各フォルダアイコン３３を表示させる。フォルダアイコン３３には、各画像フォルダに付けられているフォルダ名が表示される。
【００７７】
また、各フォルダアイコン３３の下方には、そのフォルダアイコンが示す画像フォルダ内の画像ファイルに格納されたサムネイル画像（この実施の形態では、１１コマのサムネイル画像）が表示される。
【００７８】
尚、１１コマのサムネイル画像は、画像フォルダ内の先頭の１１の画像ファイルに格納されたサムネイル画像でもよいし、例えば、１０個の画像ファイル毎に選択された代表の画像ファイルに格納されたサムネイル画像でもよい。
【００７９】
そして、送りボタン４０によって画像フォルダを選択する。画像フォルダが４以上存在する場合には、送りボタン４０の操作にしたがってスクロール表示させることができる。
【００８０】
選択されている画像フォルダには、枠が表示されており、ここで、送りボタン４０を下方に押すと、又は専用に設けられた確定ボタンを押すと、画像フォルダの選択が確定し、その画像フォルダ内の先頭の４８の画像ファイルに格納されたサムネイル画像がインデックス画像として表示される。
【００８１】
これにより、複数の画像フォルダに格納された画像の検索を容易に行うことができる。上記第５の実施の形態では、検索モード時にインデックスページ３２にフォルダアイコンと、インデック画像とを表示するようにしたが、フォルダアイコンのみを表示するようにしてもよい。この場合、フォルダアイコン上に代表画像を貼り付けるようにしてもよい。
【００８２】
尚、この実施の形態では、電子ペーパーを使用するようにしたが、本発明はこれに限らず、例えば、エレクトロ・ルミネッセンス表示手段、液晶表示手段等の電子表示シートを使用するようにしてもよい。
【図面の簡単な説明】
【００８３】
【図１】図１は本発明に係る電子アルバムの外観を示す斜視図である。
【図２】図２は上記電子アルバムを開いた状態の平面図であり、表表紙の内側の面と電子ペーパーの最初のページとを示す図である。
【図３】図３は上記電子アルバムを開いた状態の平面図であり、電子ペーパーの２ページ以降の左右の見開きのページを示す図である。
【図４】図４は上記電子アルバムを開いた状態の平面図であり、電子ペーパーの最後のページと裏表紙の内側の面とを示す図である。
【図５】図５は上記電子アルバムの回路構成を示すブロック図である。
【図６】図６は本発明に係る電子アルバムを開いた状態の平面図であり、第２の実施の形態を説明するために用いた図である。
【図７】図７は本発明に係る電子アルバムを開いた状態の平面図であり、表示モードとして拡大表示モード１が選択された場合の画像の表示例を示す図である。
【図８】図８は本発明に係る電子アルバムを開いた状態の平面図であり、表示モードとして拡大表示モード２が選択された場合の画像の表示例を示す図である。
【図９】図９は本発明に係る電子アルバムを開いた状態の平面図であり、表示モードとしてトリミング表示モードが選択された場合の画像の表示例を示す図である。
【図１０】図１０は本発明に係る電子アルバムを開いた状態の平面図であり、本発明の第４の実施の形態を示す図である。
【図１１】図１１は本発明に係る電子アルバムのインデックスページの平面図であり、本発明の第５の実施の形態を示す図である。
【符号の説明】
【００８４】
１０…電子アルバム、２０…表紙、２２…表表紙、２４…裏表紙、２６…背表紙、３０…電子ペーパー、３２…インデックスページ、３４…コマ画像ページ、４１…電源部、４０、４２…送りボタン、４４…バッテリー、４６…画像メモリ、５０…中央処理装置（ＣＰＵ）、５２…主メモリ、５４…表紙開閉検出スイッチ、５６…表示制御部、５８…操作部、６０…通信インターフェース、７０…情報表示器
【図１】
2007333797.tif 000003
【図２】
2007333797.tif 000004
【図３】
2007333797.tif 000005
【図４】
2007333797.tif 000006
【図５】
2007333797.tif 000007
【図６】
2007333797.tif 000008
【図７】
2007333797.tif 000009
【図８】
2007333797.tif 000010
【図９】
2007333797.tif 000011
【図１０】
2007333797.tif 000012
【図１１】
2007333797.tif 000013